(57)【特許請求の範囲】
【請求項１】
互いに通信周波数帯が異なるＭ（Ｍは２以上の整数）通りの通信システムで送受信が可能なＮ個（ＮはＭ以上の整数）の複数バンドアンテナと、
前記Ｍ通りの通信システムにおける各通信システムでの送信データを変調し、受信データを復調するＭ個の送受信部と、
前記Ｎ個の複数バンドアンテナと前記Ｍ個の送受信部との間の接続を切り替え、前記Ｎ個の複数バンドアンテナのそれぞれを前記Ｍ個の送受信部のいずれか一つと接続するスイッチ手段と、
前記Ｎ個の複数バンドアンテナの内のＭ個の複数バンドアンテナのそれぞれを、前記Ｍ個の送受信部の内の別々の一つに接続するように、前記スイッチ手段の切り換え制御を行うスイッチ制御手段と、
各送受信部での受信可能チャンネルを検出するためのスキャン動作を前記Ｍ個の送受信部で平行して行なうスキャン手段と、
前記スキャン動作時に別々の送受信部が受信した受信信号と所定の閾値を比較する信号比較手段と、
前記信号比較手段での比較結果に応じてアクティブにする一つの送受信部を選択する選択手段とを有し、
前記スイッチ制御手段が前記アクティブにされた一つの送受信部を前記Ｎ個の複数バンドアンテナの一つに順次切り替えて接続し、該順次に接続した別々の複数バンドアンテナで受信した受信信号同士を比較してアクティブにする複数バンドアンテナを選択してダイバーシティ受信することを特徴とする複数バンド通信装置。
【請求項２】
互いに通信周波数帯が異なるＭ（Ｍは２以上の整数）通りの通信システムで送受信が可能なＮ個（ＮはＭ以上の整数）の複数バンドアンテナと、
前記Ｍ通りの通信システムにおける各通信システムでの送信データを変調し、受信データを復調するＭ個の送受信部と、
前記Ｎ個の複数バンドアンテナと前記Ｍ個の送受信部との間の接続を切り替え、前記Ｎ個の複数バンドアンテナのそれぞれを前記Ｍ個の送受信部のいずれか一つと接続するスイッチ手段と、
前記Ｎ個の複数バンドアンテナの内のＭ個の複数バンドアンテナのそれぞれを、前記Ｍ個の送受信部の内の別々の一つに接続するように、前記スイッチ手段の切り換え制御を行うスイッチ制御手段と、
各送受信部での受信可能チャンネルを検出するためのスキャン動作を前記Ｍ個の送受信部で平行して行なうスキャン手段と、
前記スキャン動作時に別々の送受信部が受信した受信信号同士を比較する信号比較手段と、
前記信号比較手段での比較結果に応じてアクティブにする一つの送受信部を選択する選択手段とを有し、
前記スイッチ制御手段が前記アクティブにされた一つの送受信部を前記Ｎ個の複数バンドアンテナの一つに順次切り替えて接続し、該順次に接続した別々の複数バンドアンテナで受信した受信信号同士を比較してアクティブにする複数バンドアンテナを選択してダイバーシティ受信することを特徴とする複数バンド通信装置。
【請求項３】
互いに通信周波数帯が異なるＭ（Ｍは２以上の整数）通りの通信システムで送受信が可能なＮ個（ＮはＭ以上の整数）の複数バンドアンテナと、各通信システムでの送信データを変調し、受信データを復調するＭ個の送受信部と、前記Ｎ個の複数バンドアンテナのそれぞれを前記Ｍ個の送受信部のいずれか一つと接続するスイッチ手段とを備える複数バンド通信装置の通信方法であって、
前記Ｎ個の複数バンドアンテナのうちのＭ個の複数バンドアンテナをそれぞれ別々の送受信部に接続し、受信周波数をスキャンして受信可能チャンネルを検出するスキャン動作をＭ個の送受信部で平行して行うスキャンステップと、
前記スキャンステップでの処理により検出された受信可能チャンネルの受信信号と所定の閾値を比較する信号比較ステップと、
前記信号比較ステップでの比較結果に応じてアクティブにする一つの送受信部を選択する選択ステップと、
前記選択ステップにおいて、アクティブにされた送受信部に前記Ｎ個の複数バンドアンテナの中の一つを順次接続して受信するステップと、
前記受信するステップにおいて、別々の複数バンドアンテナで受信した受信信号同士を比較してアクティブにする複数バンドアンテナを選択してダイバーシティ受信するステップと
を有する複数バンド通信装置の通信方法。
【請求項４】
互いに通信周波数帯が異なるＭ（Ｍは２以上の整数）通りの通信システムで送受信が可能なＮ個（ＮはＭ以上の整数）の複数バンドアンテナと、各通信システムでの送信データを変調し、受信データを復調するＭ個の送受信部と、前記Ｎ個の複数バンドアンテナのそれぞれを前記Ｍ個の送受信部のいずれか一つと接続するスイッチ手段とを備える複数バンド通信装置の通信方法であって、
前記Ｎ個の複数バンドアンテナのうちのＭ個の複数バンドアンテナをそれぞれ別々の送受信部に接続し、受信周波数をスキャンして受信可能チャンネルを検出するスキャン動作をＭ個の送受信部で平行して行うスキャンステップと、
前記スキャンステップでの処理により検出された受信可能チャンネルの受信信号同士を比較する信号比較ステップと、
前記信号比較ステップでの比較結果に応じてアクティブにする一つの送受信部を選択する選択ステップと、
前記選択ステップにおいて、アクティブにされた送受信部に前記Ｎ個の複数バンドアンテナの中の一つを順次接続して受信するステップと、
前記受信するステップにおいて、別々の複数バンドアンテナで受信した受信信号同士を比較してアクティブにする複数バンドアンテナを選択してダイバーシティ受信するステップと
を有する複数バンド通信装置の通信方法。
【発明の詳細な説明】
【０００１】
【発明の属する技術分野】
本発明は、互いに通信周波数帯が異なるＭ（Ｍは２以上の整数）通りの通信システムで送受信が可能な複数バンド通信装置に関し、特にダイバーシティ受信を行なえる複数バンド通信装置に関する。
【０００２】
【従来の技術】
図５は従来のダイバーシティ通信装置の一例を示す図である。図５に示すダイバーシティ通信装置４０において、６５はＩＥＥＥ８０２．１１ｂ規格に準拠した通信システム（以下、単に８０２．１１ｂ通信システムとも記す）の送受信部であり、６１、６２は８０２．１１ｂ通信システムで使用される通信周波数帯で送信、受信を可能にする単バンドアンテナであり、６３、６４は単バンドアンテナ６１、６２と送受信部６５との接続を切り替えるためのスイッチである。
ＩＥＥＥ８０２．１１ｂは、ＩＥＥＥにより策定された無線ＬＡＮの規格であり、ＩＥＥＥ８０２．１１のＤＳＳＳ（Direct Sequence Spectrum Spread：直接拡散方式のスペクトラム拡散）方式で、５．５Ｍｂｉｔ／ｓと１１Ｍｂｉｔ／ｓの高速通信をサポートする拡張規格である。
【０００３】
ＩＥＥＥ８０２．１１ｂ無線ＬＡＮで使用される周波数バンドは無線免許なしに自由に使える２．４ＧＨｚ帯（ＩＳＭバンド）であり、詳しくは２．４７１ＧＨｚ〜２．４８３５ＧＨｚである。この周波数バンドには無線のチャンネル数で合計１４チャンネルが割り当てられている。８０２．１１ｂ無線ＬＡＮシステムでは、５０〜１００ｍの距離にある端末間でも通信が出来るとされ、端末の数が多くなる場合があって、配線コストが問題となるオフィスや家庭などで用いられる。
【０００４】
図５のダイバーシティ通信装置４０では、受信時にはアンテナ６１とアンテナ６２とのいずれか受信時の電波状態が良い方のアンテナを用いるダイバーシティ受信が可能とされている。即ち、ダイバーシティ通信装置４０で通信を実際に開始する前に、まず８０２．１１ｂ送受信部６５での受信可能チャンネルを検出するための周波数スキャン（ＳＣＡＮ動作）を行ない、受信可能なチャンネルを探索する。この探索では、まずスイッチ６３、６４によりアンテナ６１を８０２．１１ｂ送受信部６５の受信アンテナ端子Ｒｘに接続して、当該周波数バンド２．４７１ＧＨｚ〜２．４８３５ＧＨｚで受信チャンネルを順次変更してスキャンを行い、受信可能な全てのチャンネルを検出する。そして、アンテナ６１を使用して得られた受信信号の中で振幅が最も大きい信号ＳａとそのチャンネルＣｈｘを抽出する。
【０００５】
次にスイッチ６４によりアンテナ６２を８０２．１１ｂ送受信部６５の受信アンテナ端子Ｒｘに接続して、当該周波数バンド２．４７１ＧＨｚ〜２．４８３５ＧＨｚで受信チャンネルを順次変更してスキャンを行い、受信可能な全てのチャンネルを検出する。そして、アンテナ６２を使用して得られた受信信号の中で振幅が最も大きい信号ＳｂとそのチャンネルＣｈｙを抽出する。
【０００６】
さらに、前記信号ＳａとＳｂの振幅を比較し、Ｓａ＞＝Ｓｂであればアンテナ６１とチャンネルＣｈｘをアクティブにするアンテナ及びチャンネルとして選択し、Ｓａ＜Ｓｂであれば、アンテナ６２とチャンネルＣｈｙをアクティブにするアンテナ及びチャンネルとして選択し、スキャン動作の後は、アクティブなアンテナとして選択したアンテナを用いてチャンネルＣｈｘ又はＣｈｙでアクセスポイントとの通信を行う。アクセスポイントへ送信を行なうときはスイッチ６３によりアンテナ６１を８０２．１１ｂ送受信部６５の送信アンテナ端子Ｔｘに接続して行なう。前記したダイバーシティ通信装置４０はＩＥＥＥ８０２．１１ｂの通信システムだけで使用することが出来る。
【０００７】
図６は従来のデュアルバンド通信装置の一例を示す図である。図６において、６５は図５に示すＩＥＥＥ８０２．１１ｂ通信システムの送受信部６５と同じであり、５５はＩＥＥＥ８０２．１１ａ通信システムの送受信部である。図６に示すデュアルバンド通信装置５０では、ＩＥＥＥ８０２．１１ａ通信システム又は、ＩＥＥＥ８０２．１１ｂ通信システムのいずれかで、送信及びダイバーシティ受信を行なうことができる。
ＩＥＥＥ８０２．１１ａ通信システムはＩＥＥＥ８０２．１１ａ規格に準拠した通信システム（以下、単に８０２．１１ａ通信システムとも記す）であり、５１、５２は８０２．１１ａ通信システムで使用される通信周波数帯で送信、受信を可能にする単バンドアンテナであり、５３、５４はアンテナ５１、５２と送受信部５５との接続を切り替えるためのスイッチである。アンテナ６１、６２、スイッチ６３、６４は図５に示すものと同じである。
【０００８】
ＩＥＥＥ８０２．１１ａの無線ＬＡＮの規格では、ＯＦＤＭ（Orthogonal Frequency Division Multiples：直交周波数分割多重）変調方式を用いて、最大５４Ｍｂｉｔ／ｓの高速通信をサポートする。ＩＥＥＥ８０２．１１ａ無線ＬＡＮで使用される通信周波数バンドは５ＧＨｚ帯であり、ＩＥＥＥ８０２．１１ｂ無線ＬＡＮで使用される通信周波数バンドとは異なる周波数バンドである。このため、アンテナ５１、５２と、アンテナ６１、６２とでは周波数特性が異なる。
【０００９】
図６に示すデュアルバンド通信装置５０では、実際に通信を開始する前に、まず周波数スキャン（ＳＣＡＮ）を行ない、受信可能なチャンネルを探索する。この探索では、まずスイッチ５３、５４によりアンテナ５１を８０２．１１ａ送受信部５５の受信アンテナ端子Ｒｘに接続し、スイッチ６３、６４によりアンテナ６１を８０２．１１ｂ送受信部６５の受信アンテナ端子Ｒｘに接続する。そして、８０２．１１ａ通信システムの送受信部５５では５ＧＨｚ帯でスキャン動作をを行い、８０２．１１ｂ通信システムの送受信部６５では２．４ＧＨｚ帯でスキャン動作を行って受信可能な全てのチャンネルを検出する。
【００１０】
さらに、アンテナ５１と送受信部５５とを使用して得られた受信信号の中で振幅が最も大きい信号ＳｃとそのチャンネルＣｈｕを抽出し、アンテナ６１と送受信部６５とを使用して得られた受信信号の中で振幅が最も大きい信号ＳｄとそのチャンネルＣｈｖを抽出する。
次に、前記信号ＳｃとＳｄの振幅を比較し、Ｓｃ＞＝Ｓｄであればアンテナ５１と８０２．１１ａ送受信部５５をアクティブにするシステムとして選択し、Ｓａ＜Ｓｂであれば、アンテナ６１と８０２．１１ｂ送受信部６５をアクティブにするシステムとして選択する。
【００１１】
スキャン動作が終了した後は、アクティブにするとして選択された送受信部に接続するアンテナを変更して受信する。例えば、送受信部５５がアクティブにするシステムとして選択されている場合には、送受信部５５に接続するアンテナをアンテナ５２に変更してチャンネルＣｈｕを受信し、送受信部６５がアクティブにするシステムとして選択されている場合には、送受信部６５に接続するアンテナをアンテナ６２に変更してチャンネルＣｈｖを受信する。
【００１２】
さらに、アンテナ５１とアンテナ５２で受信した受信信号の振幅を比較するか、或いは、アンテナ６１とアンテナ６２で受信した受信信号の振幅を比較して、受信信号の振幅の大きい方の一つのアンテナを受信時にアクティブにするアンテナとして選択する。送信時にはアンテナ５１又はアンテナ６１が用いられる。
アクティブにする通信システムとアンテナを前記したように設定することにより、デュアルバンド通信装置５０ではＩＥＥＥ８０２．１１ａ通信システム又は、ＩＥＥＥ８０２．１１ｂ通信システムのいずれかで、送信及びダイバーシティ受信を行なうことができる。
【００１３】
【発明が解決しようとする課題】
しかしながら、上記従来例のデュアルバンド通信装置５０では、通信システムごとに２つずつのアンテナが必要であり、送受信可能な通信システムの数を多くするとその数に比例してアンテナの数が増加することとなる。このため、従来の複数バンド通信装置では、アンテナの配置が困難になる場合があり、小型化がし難く、製造コストが高くなるという問題もあった。
【００１４】
本発明は、前記した問題点を解消するためなにされたものであって、使用するアンテナの数が少なく、ダイバーシティ受信可能で且つ小型の複数バンド通信装置及びその通信方法を提供することを主な目的とする。
【００１５】
【課題を解決するための手段】
本発明の第１の態様では、互いに通信周波数帯が異なるＭ（Ｍは２以上の整数）通りの通信システムで送受信が可能なＮ個（ＮはＭ以上の整数）の複数バンドアンテナと、
前記Ｍ通りの通信システムにおける各通信システムでの送信データを変調し、受信データを復調するＭ個の送受信部と、前記Ｎ個の複数バンドアンテナと前記Ｍ個の送受信部との間の接続を切り替え、前記Ｎ個の複数バンドアンテナのそれぞれを前記Ｍ個の送受信部のいずれか一つと接続するスイッチ手段と、前記Ｎ個の複数バンドアンテナの内のＭ個の複数バンドアンテナのそれぞれを、前記Ｍ個の送受信部の内の別々の一つに接続するように、前記スイッチ手段の切り換え制御を行うスイッチ制御手段と、各送受信部での受信可能チャンネルを検出するためのスキャン動作を前記Ｍ個の送受信部で平行して行なうスキャン手段と、前記スキャン動作時に別々の送受信部が受信した受信信号と所定の閾値を比較する信号比較手段と、前記信号比較手段での比較結果に応じてアクティブにする一つの送受信部を選択する選択手段とを有し、前記スイッチ制御手段が前記アクティブにされた一つの送受信部を前記Ｎ個の複数バンドアンテナの一つに順次切り替えて接続し、該順次に接続した別々の複数バンドアンテナで受信した受信信号同士を比較してアクティブにする複数バンドアンテナを選択してダイバーシティ受信することを特徴とする複数バンド通信装置を提供する。ここに、前記信号比較手段は、前記スキャン動作時に別々の送受信部が受信した受信信号同士を比較するようにしてもよい。
【００１６】
本発明の第２の態様では、互いに通信周波数帯が異なるＭ（Ｍは２以上の整数）通りの通信システムで送受信が可能なＮ個（ＮはＭ以上の整数）の複数バンドアンテナと、各通信システムでの送信データを変調し、受信データを復調するＭ個の送受信部と、複数バンドアンテナのそれぞれを送受信部のいずれか一つと接続するスイッチ手段とを備える複数バンド通信装置の通信方法であって、前記Ｎ個の複数バンドアンテナのうちのＭ個の複数バンドアンテナをそれぞれ別々の送受信部に接続し、受信周波数をスキャンして受信可能チャンネルを検出するスキャン動作をＭ個の送受信部で平行して行うスキャンステップと、前記スキャンステップでの処理により検出された受信可能チャンネルの受信信号と所定の閾値を比較する信号比較ステップと、前記信号比較ステップでの比較結果に応じてアクティブにする一つの送受信部を選択する選択ステップと、前記選択ステップにおいて、アクティブにされた送受信部に前記Ｎ個の複数バンドアンテナの中の一つを順次接続して受信するステップと、前記受信するステップにおいて、別々の複数バンドアンテナで受信した受信信号同士を比較してアクティブにする複数バンドアンテナを選択してダイバーシティ受信するステップとを有する複数バンド通信装置の通信方法を提供する。ここに、前記信号比較ステップでは、前記スキャンステップでの処理により検出された受信可能チャンネルの受信信号同士を比較するようにしてもよい。
【００２４】
【発明の実施の形態】
本発明の複数バンド通信装置は、互いに通信周波数帯が異なるＭ通り（Ｍは２以上の整数）の通信システムで送受信が可能な複数バンドアンテナをＮ個（Ｎは前記Ｍ以上の整数）備え、且つ、各通信システムでの送信データを変調し受信データを復調する送受信部を通信システムごとに一つ備えて、まずＳＣＡＮ動作を行なう。このＳＣＡＮでは、各送受信部を別々の複数バンドアンテナに接続した状態でＳＣＡＮ動作を全送受信部で並行して行ない、各送受信部で受信したビーコン信号(Beacon Signal)又はビーコン信号から生成した信号同士を比較して、まず、アクティブにする送受信部を一つ選択する。
【００２５】
前記ＳＣＡＮ動作の後には、アクティブにした一つの通信システムの送受信部を、順次別々のアンテナに一つずつ接続してビーコン信号を受信し、この別々のアンテナで受信した受信信号同士又は該受信信号から生成した信号同士を比較して、最も受信状態の良いアンテナをダイバーシティ受信時にアクティブにする受信アンテナとして選択し、この選択したアンテナを用いてダイバーシティ受信を行なうものである。
【００２６】
以下、本発明の実施例について図と共に説明する。図１において、２１はＩＥＥＥ８０２．１１ａ通信システムの送受信部であり、２２はＩＥＥＥ８０２．１１ｂ通信システムの送受信部である。図１に示すデュアルバンド通信装置１０では、ＩＥＥＥ８０２．１１ａ通信システム又は、ＩＥＥＥ８０２．１１ｂ通信システムのいずれかで、送信及びダイバーシティ受信を行なう。
１１、１２は夫々デュアルバンドアンテナであり、ＩＥＥＥ８０２．１１ａ通信システムで使用する５ＧＨｚ帯とＩＥＥＥ８０２．１１ｂ通信システムで使用する２．４ＧＨｚの両方で使用可能な送受信用アンテナである。
【００２７】
１３〜１８はアンテナを切り替えるためのスイッチであり、これらのスイッチにより各アンテナは、８０２．１１ａ通信システムの送受信部２１又は８０２．１１ｂ通信システムの送受信部２２のいずれか一方に接続される。
前記スイッチ１３〜１８の切り替え制御はスイッチ制御手段２９によって行ない、複数バンド通信装置全体の制御はシステム制御手段２４によって行なう。システム制御手段２４はマイクロプロセッサ（ＭＰＵ）とメモリの他に、スキャン手段２５と信号比較手段２７とを備える。
【００２８】
複数バンド通信装置１０が携帯型のパーソナルコンピュータ（パソコン）などに搭載される場合には、システム制御手段２４は必ずしも独立したハードウエアで構成する必要はなく、パーソナルコンピュータのＭＰＵを用いて構成することも出来る。信号比較手段２７は８０２．１１ａ通信システムの送受信部２１で受信した受信信号と８０２．１１ｂ通信システムの送受信部２２で受信した受信信号とを比較する。或いは、前記受信信号から生成された信号を比較しても良い。また、信号比較手段２７では８０２．１１ａ通信システムの送受信部２１で受信した受信信号又は８０２．１１ｂ通信システムの送受信部２２で受信した受信信号の特性を所定の閾値と比較する。
スキャン手段２５は８０２．１１ａ通信システムの送受信部２１又は８０２．１１ｂ通信システムの送受信部２２で受信可能なチャンネルを探索するために、送受信部２１及び送受信部２２の受信周波数又は受信チャンネルを掃引する。
【００２９】
前記信号比較手段２７での比較処理では、例えば、受信したビーコン信号同士あるいはビーコン信号から生成した信号同士を比較する。比較する対象は、信号の振幅やＳ／Ｎなどである。ＳＣＡＮ動作を行なう場合には、スイッチ制御手段２９はスキャン手段２５及び信号比較手段２７と連動してアンテナ切り替え用のスイッチ１３〜１８を制御する。
【００３０】
図２はＩＥＥＥ８０２．１１ａ通信システムの送受信部２１の一例を示すブロック図である。ＩＥＥＥ８０２．１１ｂ通信システムの送受信部２２の構成は、変調及び復調方式が送受信部２１と異なるが、ブロック図は送受信部２１と同様の構成である。
図２において、送受信部２１はＲＦフィルタ７１、７２と、ＲＦブロック７０と、ベースバンドフィルタ７７と、ベースバンドブロック８０とで構成される。送受信部２１はベースバンドブロック８０のＭＡＣ（Media Access Control：メディアアクセス制御部）８４を介してパーソナルコンピュータのＰＣＩバスに接続される。前記ＭＡＣ８４は、物理アドレスを用いたパケットの送受信や衝突の検出、再送などを行なうインターフェースである。
【００３１】
以下、送受信部２１における送受信の動作について図２を用いて説明する。まず受信時の動作について説明する。受信時には、デュアルバンドアンテナ１１又はデュアルバンドアンテナ１２から入力された信号は、ＲＦフィルタ７２により５ＧＨｚ帯の信号のみを通過させ、ＲＦブロック７０の受信部７５に与えられる。受信部７５では受信信号が増幅され、周波数変換と復調処理によってベースバンド信号に変換される。このベースバンド信号は、ベースバンドフィルタ７７で不要な高周波成分を減衰され、アナログ／ディジタル変換器（ＡＤＣ）８２でディジタル信号に変換され、ベースバンド処理部８３でディジタル復号化され、ＭＡＣ８４を介してＰＣＩバスへ送られる。
【００３２】
次に送信時の動作について説明する。送信時には、送信データがベースバンド処理部８３によりベースバンド信号に変換される。ベースバンド処理部８３から出力されるベースバンド信号は、ディジタル／アナログ変換器（ＤＡＣ）８１でアナログ信号に変換され、ベースバンドフィルタ７７で不要な高周波成分を減衰されて送信部７３に与えられる。送信部７３では、入力されたベースバンド信号が変調及び周波数変換され、ＲＦ信号としてＲＦフィルタ７１に与えられる。ＲＦフィルタ７１では５ＧＨｚ帯の信号のみを通過させ、このＲＦ信号がデュアルバンドアンテナ１１を介して放射される。
【００３３】
図１に示すデュアルバンド通信装置１０では、実際に通信を開始する前に、まず周波数スキャン又はチャンネルスキャンを行ない、受信可能なチャンネルを探索する。このＳＣＡＮによる探索を行なう場合には、まずスイッチ１３〜スイッチ１８によりアンテナ１１を８０２．１１ａ送受信部２１の受信アンテナ端子Ｒｘに接続し、同時にアンテナ１２を８０２．１１ｂ送受信部２２の受信アンテナ端子Ｒｘに接続する。そして、送受信部２１では５ＧＨｚ帯でスキャンし、これと並行して送受信部２２では２．４ＧＨｚ帯でスキャンして、受信可能な全てのチャンネルを検出する。
【００３４】
次に、デュアルバンドアンテナ１１で受信した受信信号とデュアルバンドアンテナ１２で受信した受信信号とを比較し、例えば受信信号の振幅が大きい等の通信を行なうのに望ましい方の信号が受信される方の通信システムを、アクティブにする通信システムとして選択する。
さらに、ＳＣＡＮ動作を行った後には、ＳＣＡＮ時にアクティブにされた送受信装置、たとえば送受信部２１に接続するアンテナをアンテナ１１からアンテナ１２へ変更して、受信チャンネルを変更せずに受信し、アンテナ１１での受信信号とアンテナ１２での受信信号とを比較して、より良好な受信ができる方のアンテナを、アクティブにするアンテナとして選択し、このアンテナを用いてダイバーシティ受信を行なう。
【００３５】
図３は本発明通信方法に係る通信設定手順の一例を示すフローチャートである。
図３において、ステップＳ１１ではパーソナルコンピュータのＯＳが起動されたか否かを判別し、肯定であればステップＳ１７へ進み、否定であればステップＳ１３へ進む。ステップＳ１３ではこの通信設定を前回行ってから所定の時間が経過したか否かを判別し、肯定であればステップＳ１７へ進み、否定であればステップＳ１５へ進む。ステップＳ１５では、現在のアクティブにされているチャンネルの受信信号の振幅が所定の閾値より小さいか否かを判別し、肯定であればステップＳ１７へ進み、否定であればステップＳ１１へ進む。
【００３６】
ステップＳ１７ではアンテナ１１、アンテナ１２を夫々送受信部２１、送受信部２２の受信アンテナ端子Ｒｘに接続してステップＳ１９へ進む。ステップＳ１９では、送受信部２１、送受信部２２において夫々の周波数バンドで、並行してＳＣＡＮを行なってステップＳ２１へ進む。ステップＳ２１ではいずれかの送受信部で少なくとも一つのチャンネルを受信できたか否かを判別し、肯定であればステップＳ２３へ進み、否定であればステップＳ３３へ進む。ステップＳ２３は信号比較ステップであり、送受信部２１で受信した受信信号と送受信部２２で受信した受信信号とを比較する比較処理を行い、ステップＳ２５へ進む。
【００３７】
ステップＳ２３での信号比較処理では、信号の特性を比較する。前記信号の特性とは、例えば信号の振幅やＳ／Ｎであり、これら２以上の特性を比較しても良い。また、送受信部２１と送受信部２２とで夫々受信した２つの信号を比較する場合に、送受信部２１で受信した信号の中の最も特性の良い信号と、送受信部２２で受信した信号の中の最も特性の良い信号とを比較するようにしても良い。ステップＳ２５は選択ステップであり、ステップＳ２３での比較結果に応じて、アクティブにする送受信部を選択してステップＳ２７へ進む。ステップＳ２５では、アクティブにするアンテナは前記選択された送受信部に接続されているアンテナとなる。
【００３８】
ステップＳ２７では、ＳＣＡＮ完了信号をシステム制御手段２４のＭＰＵへ送りステップＳ２９へ進む。ステップＳ２９では、アクティブにした送受信部（送受信部２１又は送受信部２２）に接続するアンテナを変更して受信チャンネルを変更せずに受信し、変更前のアンテナで受信した受信信号と、変更後のアンテナで受信した受信信号とを比較し、ダイバーシティ受信時にアクティブにするアンテナを選択する。ここで、前記アクティブにするアンテナがアクティブにした送受信部に接続されていない場合には、接続するアンテナをアクティブにするアンテナに切り替えてステップＳ３１へ進む。ステップＳ３１では、通信設定完了信号をシステム制御手段２４のＭＰＵへ送り、必要に応じてダイバーシティ受信又は送信を開始してこのフローを終了する。
【００３９】
なお、Ｍ通りの通信システムとして通信可能にするために、Ｍ個の送受信部とＮ個の複数バンドアンテナを備えた通信装置にあっては、図３に示すステップＳ２９に相当する処理において、前記スキャンステップでアクティブにされた一つの送受信部に、前記Ｎ個の複数バンドアンテナの中の一つを順次接続して受信チャンネルを変更せずに受信し、この別々のアンテナで受信した受信信号又は該受信信号から生成した信号同士を比較し、この比較結果に応じて、ダイバーシティ受信時にアクティブにする複数バンドアンテナを選択する。前記した信号同士の比較では、信号の振幅、Ｓ／Ｎ、符号誤り率などであり、これらの２以上について比較してアクティブにするアンテナを選択するようにしても良い。
【００４０】
図３において、ステップＳ２１からステップＳ３３へ進んだ場合は、ステップＳ３３でアクセス不可信号をＭＰＵへ送りステップＳ１１へ進む。
なお、前記した実施例の説明では、前記ステップＳ２３とステップＳ２５の処理では、２つの信号同士を比較し、該比較結果に応じて送受信部とアンテナを選択する、としたが、必ずしも２つの信号同士を比較しなくてもよい。以下その例について説明する。
【００４１】
図４は図３に示すステップＳ２３からステップ２５までの処理の別例を示すフローチャートである。図４に示すフローチャートでは、２つの信号を直接比較せずに、受信信号の特性を調べ、その特性に応じて、アクティブにする通信システムを選択するようにしている。前記特性とは、例えば受信信号の振幅又は受信信号信号のＳ／Ｎ等であり、或いは受信信号から生成された信号の振幅又はＳ／Ｎ等である。具体的には、受信信号の特性値と所定の閾値とを比較して、この比較結果に応じて、アクティブにする通信システムを選択する。また、受信信号の特性値と所定の閾値とを比較する場合に、優先的に比較に用いる受信信号の通信システムを予め定めておいて、優先的に比較した結果に応じて、アクティブにする通信システムを選択することも出来る。
【００４２】
図４において、ステップＳ２１からステップＳ５１へ進むと、ステップＳ５１では送受信部２１でいずれかのチャンネルを受信できたか否かを判別し、肯定であればステップＳ５３へ進み、否定であればステップＳ５９へ進む。ステップＳ５３では、送受信部２１で受信した信号の中で受信信号の振幅が最大となるチャンネルの受信信号Ｓ１Ｘを検出してステップＳ５５へ進む。ステップＳ５５では前記信号Ｓ１ＸのＳ／Ｎが所定の閾値より大きいか否かを判別し、肯定であればステップＳ５７へ進み、否定であればステップＳ５９へ進む。ステップＳ５７では、送受信部２１とアンテナ１１をアクティブにする通信システムとして選択してステップＳ２７へ進む。
【００４３】
ステップＳ５９では、送受信部２２で受信した信号の中で受信信号の振幅が最大となるチャンネルの受信信号Ｓ２Ｘを検出してステップＳ６１へ進む。ステップＳ６１では前記信号Ｓ２ＸのＳ／Ｎが所定の閾値より大きいか否かを判別し、肯定であればステップＳ６３へ進み、否定であればステップＳ２７へ進む。ステップＳ６３では、送受信部２２とアンテナ１２をアクティブにする通信システムとして選択してステップＳ２７へ進む。
【００４４】
図４に示す例では、図３に示すステップＳ２３の信号比較ステップとステップＳ２５の選択ステップとにおいて、前記信号比較ステップでは複数の受信信号のうち最も通信速度が速い送受信部で受信された受信信号又は該受信信号から生成された信号の特性値と所定の閾値とを優先的に最初に比較して、信号の特性が予め定めた閾値より良好な場合には、ステップＳ２５の選択ステップの処理により、受信可能チャンネルが検出された送受信部の中で最も通信速度が速い送受信部を、アクティブにする送受信部として選択するようにしている。
図４に示すフローチャートによれば、前記スキャンステップでの処理により複数の送受信部で受信可能チャンネルが検出された場合に、より通信速度が速い方の通信システムで送受信ができるように、送受信部を選択することがより短い処理時間で出来るようになる。
【００４５】
なお、上記本発明の実施例では、互いに通信周波数帯が異なるＭ通りの通信システムとして、ＩＥＥＥ８０２．１１ａ通信システムとＩＥＥＥ８０２．１１ｂ通信システムとを例にして説明したが、本発明が適用可能な通信装置はこれに限定されない。
また、上記本発明の実施例では、通信システムが２通りで、デュアルバンドアンテナを２個用いる場合について説明したが、これに限らず、本発明は、各通信システムでの変調及び復調を行なう送受信部をＭ（Ｍは２以上の整数）個備え、且つ前記Ｍ通りの通信システムの通信周波数帯域の全てをカバーする複数バンドアンテナをＮ個（ＮはＭ以上の整数）備える複数バンド通信装置にも適用することが出来る。また、通常は複数バンドアンテナの数Ｎを通信システムの数Ｍと等しくするが、特定の角度で設置したような補助的な複数バンドアンテナをさらに備えて、Ｎ＞Ｍとなるようにしても、本発明の趣旨を逸脱するものでないことは言うまでもない。
【００４６】
以上、詳細に説明したように、本発明を適用した実施の形態によれば、複数バンド通信装置において、通信を開始する前に、まずどの通信システムで通信が可能となるかをＳＣＡＮ手段を用いて探索する。この場合に、各通信システムの送受信部の受信アンテナ端子Ｒｘに一つずつの複数バンドアンテナを接続して行なう。すなわち、スイッチ制御手段は、ＳＣＡＮ動作時には一つの送受信部が一つの複数バンドアンテナを占有するように接続するスイッチ制御を行う。そして各送受信部で受信された受信信号、又はその特性に応じて、アクティブにする通信システムを選定する。
【００４７】
この後で、ＳＣＡＮ動作によりアクティブにする通信システムとして選択した一つの送受信部の受信アンテナ端子Ｒｘを、複数の複数バンドアンテナの夫々と順次接続するスイッチ制御を行って、ダイバーシティ受信時にアクティブにするアンテナを選択するための準備を行なう。すなわち、選択した通信システムの受信部で用いる複数バンドアンテナを順次別々のアンテナに切り替えて同一チャンネルを受信し、各アンテナで受信した受信信号同士、又は受信信号から生成された信号同士を比較して、前記選択した通信システムでダイバーシティ受信を行う場合にアクティブにすべき複数バンドアンテナを、前記比較結果に応じて選択する。
【００４８】
これにより、通信可能にする通信システムの数が増加した場合に、比較的少ない数の複数バンドアンテナによってダイバーシティ受信を行なうことが出来る。また、アンテナの数が少なくて済むため、通信装置を小型にすることが出来る。さらに、前記信号比較処理で他に優先して比較する信号の通信システムを予め定めておくことにより、予め定めた通信システムの信号で且つ所定の品質を有する受信信号をＳＣＡＮ動作時に受信できた場合には、アクティブにする通信システムを短時間で決定することができる。
【図面の簡単な説明】
【図１】本発明複数バンド通信装置の実施例を示すブロック図である。
【図２】ＩＥＥＥ８０２．１１ａ通信システムの送受信部２１の一例を示すブロック図である。
【図３】本発明通信方法に係る通信設定手順の一例を示すフローチャートである。
【図４】図３に示すステップＳ２３からステップ２５までの処理の別例を示すフローチャートである。
【図５】従来のダイバーシティ通信装置の一例を示す図である。
【図６】従来のデュアルバンド通信装置の一例を示す図である。
【符号の説明】
１１、１２    複数バンドアンテナ（デュアルバンド複数バンドアンテナ）
１３、１４、１５、１６、１７、１８    スイッチ手段（スイッチ）
２１    ８０２．１１ａ通信システムの送受信部
２２    ８０２．１１ｂ通信システムの送受信部
２４    システム制御手段
２５    スキャン手段
２７    信号比較手段
２９    スイッチ制御手段
７０    ＲＦブロック
８０    ベースバンドブロック
８３    ベースバンド処理部
【図１】
0003946987.tif 000002
【図２】
0003946987.tif 000003
【図３】
0003946987.tif 000004
【図４】
0003946987.tif 000005
【図５】
0003946987.tif 000006
【図６】
0003946987.tif 000007